(57)【特許請求の範囲】
【請求項１】
雄コネクタ及び雌コネクタのアウターハウジングとインナーハウジングとの間に設けられたシェル挿入溝内に金属シェルを挿入し、シールド電線の絶縁芯線と接続された端子をそれぞれの前記インナーハウジングに装着し、前記雄コネクタのインナーハウジング先端内周を前記雌コネクタのインナーハウジング先端外周に挿入するとともに、前記雄コネクタのアウターハウジング先端内周を前記雌コネクタのアウターハウジング先端外周に挿入して前記雄コネクタと前記雌コネクタとを嵌合する結露対策用防水コネクタにおいて、
前記雄コネクタのインナーハウジング先端内周に密接する内部パッキンを前記雌コネクタのインナーハウジング外周に装着し、前記雄コネクタのアウターハウジング先端内周に密接する外部パッキンを前記雌コネクタのアウターハウジング外周に装着したことを特徴とする結露対策用防水コネクタ。
【請求項２】
前記インナーハウジングと前記絶縁芯線との間を水密封止する内部ゴム栓を前記雄コネクタと前記雌コネクタのそれぞれの絶縁芯線の外周に装着したことを特徴とする請求項１記載の結露対策用防水コネクタ。
【請求項３】
前記アウターハウジングと前記シールド電線の外皮との間を水密封止する外部ゴム栓を前記雄コネクタと前記雌コネクタのそれぞれのシールド電線外皮の外周に装着したことを特徴とする請求項１記載又は２記載の結露対策用防水コネクタ。
【発明の詳細な説明】
【０００１】
【産業上の利用分野】
本発明は、端子を収容するインナーハウジングと、このインナーハウジングを覆う導電性カバーとが設けられたコネクタにおいて、特に、端子とこの導電性カバーとの防水性を高める結露対策用防水コネクタに関するものである。
【０００２】
【従来の技術】
コネクタには、導電性カバー（以下、「金属シェル」という）で内部導体を覆い、内部導体を外部の電界から遮蔽する所謂、シールドコネクタ（以下、「コネクタ」という）がある。この種のコネクタで、インナーハウジングとアウターハウジングとの間に、金属シェルが設けられるものの一例を図１２〜図１４に基づき説明する。図１２は従来の雄コネクタの断面図、図１３は従来の雌コネクタの断面図、図１４は従来のコネクタの嵌合状態を示す断面図である。
コネクタは嵌合可能な雄コネクタ１と雌コネクタ３とからなり、両者は基本的に同様の構造となる。例えば、雄コネクタ１の場合を例に説明すれば、絶縁樹脂材からなる筒状のアウターハウジング５の内部には同じく筒状のインナーハウジング７が一体形成され、アウターハウジング５とインナーハウジング７の間には金属シェル９が挿入されるシェル挿入溝１１が設けられる。
【０００３】
一方、シールド電線１３の絶縁芯線１５には雄端子１７が圧着され、絶縁芯線１５を覆うシールド編組１９には前述の金属シェル９の後部が圧着接続される。シールド電線１３が接続された雄端子１７は、インナーハウジング７に形成された収容室２１に後部から装着される。この際、同時に、シールド編組１９に接続された金属シェル９は、シェル挿入溝１１に挿入されることとなる。シールド電線１３にはゴム栓２３が装着されており、ゴム栓２３はアウターハウジング５の内周に密接される。ゴム栓２３が密接したアウターハウジング５の後部には、更にリヤホルダ２５が取り付けられ、ゴム栓２３の抜けが防止される。
【０００４】
このように構成された雄コネクタ１は、略同様に構成された雌コネクタ３と嵌合される。即ち、雄コネクタ１と雌コネクタ３とが嵌合されると、雄端子１７が雌端子２７に挿入され、同時に、雄コネクタ１のアウターハウジング５の先端５ａは、雌コネクタ３のアウターハウジング２９の先端２９ａに挿入される。この際、雄コネクタ１先端の金属シェル９は、同じく雌コネクタ３先端の金属シェル３１と嵌合し、金属シェル９、３１同士は接続状態となる。そして、雌コネクタ３のアウターハウジング２９外周には外部パッキン３３が設けられ、外部パッキン３３は雄コネクタ１のアウターハウジング５内周に密接することで、外部からのアウターハウジング５、２９内への水の浸入を防止している。従って、コネクタは、外部パッキン３３と、両コネクタのシールド電線１３に装着されたゴム栓２３、３５とによって内部が外部とシールされ、水密構造が保たれるようになっていた。
【０００５】
【発明が解決しようとする課題】
上述した従来のコネクタでは、雌コネクタ３に外部パッキン３３を設けるとともに、両コネクタのシールド電線１３にゴム栓２３、３５をそれぞれ装着することにより、アウターハウジング５、２９の内部、即ち、シェル挿入溝１１、３７部分、インナーハウジング７、３９部分を外部と水密構造にシールしていた。
しかしながら、このように密閉されたコネクタでは、内部と外部との温度差により、密閉されたコネクタ内の空気が露点温度に達し、コネクタ内で結露を生じさせることがあった。そして、一度結露が発生すれば、同一密閉空間に設けられた雄端子１７、雌端子２７と金属シェル９、３１とは、何ら絶縁手段が設けられていなかったため、図１４中の太線で示す経路３９ａ、３９ｂ、３９ｃを伝わる結露水によって、漏電を生じさせる虞れがあった。
本発明は上記状況に鑑みてなされたもので、密閉されたコネクタ内において結露が発生しても、結露水によって端子と金属シェルとが漏電することのない結露対策用防水コネクタを提供し、安全面における信頼性の向上を図ることを目的とする。
【０００６】
【課題を解決するための手段】
上記目的を達成するための本発明に係る結露対策用防水コネクタの構成は、雄コネクタ及び雌コネクタのアウターハウジングとインナーハウジングとの間に設けられたシェル挿入溝内に金属シェルを挿入し、シールド電線の絶縁芯線と接続された端子をそれぞれの前記インナーハウジングに装着し、前記雄コネクタのインナーハウジング先端内周を前記雌コネクタのインナーハウジング先端外周に挿入するとともに、前記雄コネクタのアウターハウジング先端内周を前記雌コネクタのアウターハウジング先端外周に挿入して前記雄コネクタと前記雌コネクタとを嵌合する結露対策用防水コネクタにおいて、前記雄コネクタのインナーハウジング先端内周に密接する内部パッキンを前記雌コネクタのインナーハウジング外周に装着し、前記雄コネクタのアウターハウジング先端内周に密接する外部パッキンを前記雌コネクタのアウターハウジング外周に装着したことを特徴とするものである。
また、結露対策用防水コネクタは、インナーハウジングと前記絶縁芯線との間を水密封止する内部ゴム栓を前記雄コネクタと前記雌コネクタのそれぞれの絶縁芯線の外周に装着することが好ましい。
更に、結露対策用防水コネクタは、前記アウターハウジングと前記シールド電線の外皮との間を水密封止する外部ゴム栓を前記雄コネクタと前記雌コネクタのそれぞれのシールド電線外皮の外周に装着することが好ましい。
【０００７】
【作用】
雄コネクタと雌コネクタが嵌合されると、雄コネクタのインナーハウジング先端が内部パッキンに密接するとともに、雄コネクタのアウターハウジング先端が外部パッキンに密接され、雄コネクタと雌コネクタのインナーハウジング同士及びアウターハウジング同士がそれぞれ水密状態で嵌合される。
また、それぞれのインナーハウジング後部は、内部ゴム栓によって絶縁芯線との間が水密状態に封止される。
従って、コネクタは、内部がインナーハウジングと、アウターハウジングとに分けられて、二重に封止されることになり、アウターハウジングとインナーハウジングの間に配設された金属シェルと、インナーハウジングの内部に収容された雄雌端子とが絶縁され、結露水がいずれか一方の空間で発生した場合においても、結露水が両方の空間に渡って流れ込まない。
【０００８】
【実施例】
以下、本発明に係る結露対策用防水コネクタの好適な実施例を図面を参照して詳細に説明する。
図１は嵌合状態における本発明による結露対策用防水コネクタの断面図、図２は雄コネクタの断面図、図３は雄コネクタの正面図、図４はシールド電線端末部の組付け構造を説明する斜視図、図５は雌コネクタの断面図、図６は雌コネクタの正面図である。
結露対策用防水コネクタ（コネクタ）４１は嵌合可能な雄コネクタ４３と雌コネクタ４５とからなり、両者は基本的に同様の構造となる。先ず、雄コネクタ４３の場合を例に説明すれば、絶縁樹脂材からなる筒状のアウターハウジング４７の内部には同じく筒状のインナーハウジング４９が連結部５１によって一体形成され、アウターハウジング４７とインナーハウジング４９の間には金属シェル５３が挿入されるシェル挿入溝５５が設けられる。また、インナーハウジング４９には雄端子５７を収容する端子収容室５９が形成され、端子収容室５９は雄端子５７と係止する弾性係止片６１を有する。
【０００９】
一方、シールド電線６３は、内部に導体６５を有する絶縁芯線６７と、この絶縁芯線６７を覆うシールド編組６９と、更にこのシールド編組６９を覆う外皮７１とから構成されている。シールド電線６３は、外皮７１を除去して露出したシールド編組６９が絶縁芯線６７の外周上で先ず折り返され、更に、外皮７１の外周上で後方に折り返されている。即ち、シールド編組６９は、絶縁芯線６７と外皮７１とに亘って段部状に折り返されている。
【００１０】
このシールド編組６９の段部状に折り返された部分には導電性材料からなる円環状の接触子７３が挿入される。図４に示すように、接触子７３は、外周面が均一な平坦面となる一方、内周面が小径部７３ａと、大径部７３ｂとにより構成される。小径部７３ａは、絶縁芯線６７の外周上で折り返されたシールド編組６９の外径より若干小さく、また、大径部７３ｂは、外皮７１の外周で折り返されたシールド編組６９の外径より若干小さく形成されている。また、小径部７３ａ、大径部７３ｂの内周面にはネジ溝７５が形成されている。
【００１１】
従って、このように構成された接触子７３が大径部７３ｂを前方にして、シールド電線６３の端末部から挿入されると、大径部７３ｂが外皮７１の外周で折り返されたシールド編組６９部分に嵌着されるとともに、小径部７３ａが絶縁芯線６７の外周で折り返されたシールド編組６９部分に嵌着される。また、接触子７３の内周にはネジ溝７５が形成されていることから、ネジ溝７５がシールド編組６９に食い込み、嵌着がより確実なものとなる。
【００１２】
接触子７３が装着されたシールド電線６３の端末には更に円環状の内部ゴム栓７７が、絶縁芯線６７の外周に装着される。内部ゴム栓７７は、内径が絶縁芯線６７の外径より若干小さく形成され、絶縁芯線６７の外周に密着する。また、内部ゴム栓７７は、インナーハウジング４９の後部に形成されたゴム栓嵌合部７９に嵌着される。ゴム栓嵌合部７９の内径は、内部ゴム栓７７の外径より小さく形成される。従って、インナーハウジング４９の後部から引き出された絶縁芯線６７と、インナーハウジング４９の内周とは、内部ゴム栓７７によって水密状態に封止される。
【００１３】
このように構成される雄コネクタ４３を組み付けるには、先ずシールド電線６３の外皮７１外周に外部ゴム栓８１を装着する。次いで、外皮７１が切除され露出されたシールド編組６９を段部状に折り返し、この折り返し部に接触子７３を装着する。次いで、絶縁芯線６７の外周に内部ゴム栓７７を装着し、その後、絶縁芯線６７の導体６５に雄端子５７の電線接続部５７ａを圧着する。
次いで、シールド電線６３が接続された雄端子５７をインナーハウジング４９の後方から端子収容室５９に挿入する。雄端子５７が端子収容室５９に挿入され、所定位置に達すると、弾性係止片６１が雄端子５７に係止し、雄端子５７は端子収容室５９からの抜けが規制される。
【００１４】
これと同時に、内部ゴム栓７７がインナーハウジング４９後部のゴム栓嵌合部７９に嵌着されるとともに、接触子７３が金属シェル５３の後部内周に接触され、更に、外部ゴム栓８１がアウターハウジング４７の後部に嵌着されることになる。外部ゴム栓８１が嵌着されたアウターハウジング４７の後部には、更に、リヤホルダ８３が取り付けられ、外部ゴム栓８１の脱落が防止され、雄コネクタ４３の組み付けが完了する。
【００１５】
このようにして組み付けが完了した雄コネクタ４３では、図３に示すように、中心の雄端子５７を包囲してインナーハウジング４９の先端が同心円状に配置されるとともに、このインナーハウジング４９の先端を包囲して、更に、アウターハウジング４７の先端が同心円状に配置される。
【００１６】
一方、雄コネクタ４３と略同様に構成される雌コネクタ４５は、アウターハウジング９１、金属シェル９３、インナーハウジング９５、雌端子９７の構成が異なる他は、シールド電線６３、内部ゴム栓７７、接触子７３、外部ゴム栓８１、リヤホルダ８３が同様のものとなっている。
従って、異なる構成部分のみを説明すれば、絶縁樹脂材からなる筒状のアウターハウジング９１の内部には同じく筒状のインナーハウジング９５が連結部９９によって一体形成され、アウターハウジング９１とインナーハウジング９５の間には金属シェル９３が挿入されるシェル挿入溝１０１が設けられる。また、インナーハウジング９５には雌端子９７を収容する端子収容室１０３が形成され、端子収容室１０３は雌端子９７と係止する弾性係止片１０５を有する。
【００１７】
雌コネクタ４５の嵌合面では、図６に示すように、中心のインナーハウジング９５を包囲してアウターハウジング９１が同心円状に配置されるとともに、このアウターハウジング９１の先端を包囲して、更に、外筒部１０７が同心円状に配置される。従って、図５に示すように、インナーハウジング９５とアウターハウジング９１との間には円環状の第一間隙１０９が形成され、アウターハウジング９１と外筒部１０７との間には第二間隙１１１が形成されることになる。また、インナーハウジング９５の外周には内部パッキン１１３が嵌着され、アウターハウジング９１の外周には外部パッキン１１５が嵌着されている。
【００１８】
雌端子９７には、上述の雄コネクタ４３と同様の手順によって、内部ゴム栓７７、接触子７３、外部ゴム栓８１の取り付けられたシールド電線６３が接続される。シールド電線６３の接続された雌端子９７がインナーハウジング９５の後方から端子収容室１０３に挿入されると、弾性係止片１０５が雌端子９７に係止し、雌端子９７は端子収容室１０３からの抜けが規制される。
【００１９】
これと同時に、内部ゴム栓７７がインナーハウジング９５後部のゴム栓嵌合部１１７に嵌着されるとともに、接触子７３が金属シェル９３の後部内周に接触され、更に、外部ゴム栓８１がアウターハウジング９１の後部に嵌着されることになる。外部ゴム栓８１が嵌着されたアウターハウジング９１の後部には、更に、リヤホルダ８３が挿入され、外部ゴム栓８１の脱落が防止され、雌コネクタ４５の組み付けが完了することになる。
【００２０】
以上のようにして構成された雄コネクタ４３と雌コネクタ４５とからなるコネクタ４１の嵌合使用時における作用を説明する。
図１に示すように、雄コネクタ４３と雌コネクタ４５が嵌合されると、雄コネクタ４３のインナーハウジング４９の先端４９ａが雌コネクタ４５の第一間隙１０９に挿入されるとともに、雄コネクタ４３のアウターハウジング４７の先端４７ａが雌コネクタ４５の第二間隙１１１に挿入される。
【００２１】
雌コネクタ４５の第一間隙１０９に挿入された雄コネクタ４３のインナーハウジング先端４９ａは、内周が内部パッキン１１３と密接する。これにより、雄コネクタ４３と雌コネクタ４５のインナーハウジング４９、９５は、水密状態で嵌合されることとなる。また、第二間隙１１１に挿入された雄コネクタ４３のアウターハウジング先端４７ａは、内周が外部パッキン１１５と密接する。これにより、雄コネクタ４３と雌コネクタ４５のアウターハウジング４７、９１同士は、水密状態で嵌合されることとなる。
【００２２】
また、それぞれのインナーハウジング４９、９５後部は、内部ゴム栓７７によって絶縁芯線６７との間が水密状態に封止される。従って、コネクタ４１は、内部がインナーハウジング４９、９５内側の空間と、アウターハウジング４７、９１内側の空間とに分けられて、二重に封止されることになる。これにより、アウターハウジング４７、９１とインナーハウジング４９、９５の間に配設された金属シェル５３、９３と、インナーハウジング４９、９５の内部に収容された雄雌端子５７、９７とは絶縁されることになり、例え、結露水がいずれか一方の空間で発生した場合においても、結露水が両方の空間に渡って流れ込み、金属シェル５３、９３と雄雌端子５７、９７とを漏電させることがなくなる。
【００２３】
次に、本発明に係る結露対策用防水コネクタの他の実施例を図７〜図１１に基づいて説明する。図７は嵌合状態における他の実施例の結露対策用防水コネクタの断面図、図８は他の実施例の雄コネクタの断面図、図９は他の実施例の雄コネクタの正面図、図１０は他の実施例の雌コネクタの断面図、図１１は他の実施例の雌コネクタの正面図である。
この実施例によるコネクタ１２１は嵌合可能な雄コネクタ１２３と雌コネクタ１２５とからなる。先ず、雄コネクタ１２３の場合を例に説明すれば、図８に示すように、絶縁樹脂材からなる筒状のアウターハウジング１２７の内部には同じく筒状のインナーハウジング１２９が連結部１３１によって一体形成され、アウターハウジング１２７とインナーハウジング１２９の間には金属シェル１３３が挟入されている。また、インナーハウジング１２９には雄端子１３７を収容する端子収容室１３９が形成され、端子収容室１３９は雄端子１３７と係止する弾性係止片１４１を有する。
【００２４】
一方、シールド電線６３は、外皮７１が除去され露出したシールド編組６９が外皮７１の外周上で後方に折り返されている。シールド編組６９の折り返し部には導電性材料からなる接触子１４９が圧着され、接触子１４９は、筒状の小径部１４９ａと大径部１４９ｂとからなり、小径部１４９ａがシールド編組６９に圧着されるとともに、大径部１４９ｂが金属シェル１３３後部の内側に嵌合される。
【００２５】
接触子１４９が装着されたシールド電線６３の端末には、更にＯリング１５１が絶縁芯線６７の外周に装着される。Ｏリング１５１は、内径が絶縁芯線６７の外径より若干小さく形成され、絶縁芯線６７の外周に密着する。また、Ｏリング１５１は、インナーハウジング１２９の内径より若干大きく形成される。従って、インナーハウジング１２９の後部から引き出された絶縁芯線６７と、インナーハウジング１２９の内周とは、絶縁芯線６７の外周に装着されたＯリング１５１によって水密状態に封止される。
【００２６】
また、この実施例によるコネクタ１２１では、雄端子１３７の電気接触部１３７ａ先端に絶縁キャップ１５５が被せられている。また、電気接触部１３７ａの外周にはムービングプレート１５７がスライド自在に取り付けられ、ムービングプレート１５７は図示しないストッパにより電気接触部１３７ａの先端からの脱落が防止されている。雄端子１３７の中央部にはフランジ部１５９が形成され、このフランジ部１５９とムービングプレート１５７との間にはスプリング１６１が装着されている。スプリング１６１は、ムービングプレート１５７を付勢して電気接触部１３７ａの先端に配置させている。つまり、通常時には、ムービングプレート１５７が電気接触部１３７ａの先端に配置され、雄端子１３７は電気接触面がコネクタ前面から露出しないようになっている。
【００２７】
このように構成される雄コネクタ１２３を組み付けるには、先ずシールド電線６３の外皮７１外周に外部ゴム栓８１を装着する。次いで、外皮７１が切除され露出されたシールド編組６９を折り返し、この折り返し部に接触子１４９を装着する。次いで、絶縁芯線６７の外周にＯリング１５１を装着し、その後、絶縁芯線６７の導体６５に雄端子１３７の電線接続部１３７ｂを圧着する。
次いで、シールド電線６３が接続された雄端子１３７をインナーハウジング１２９の後方から端子収容室１３９に挿入する。雄端子１３７が端子収容室１３９に挿入され、所定位置に達すると、弾性係止片１４１が雄端子１３７に係止し、雄端子１３７は端子収容室１３９からの抜けが規制される。
【００２８】
これと同時に、Ｏリング１５１がインナーハウジング１２９の後部に嵌着されるとともに、接触子１４９が金属シェル１３３の後部内周に接触され、更に、外部ゴム栓８１がアウターハウジング１２７の後部に嵌着されることになる。外部ゴム栓８１が嵌着されたアウターハウジング１２７の後部には、更に、リヤホルダ８３が取り付けられ、外部ゴム栓８１の脱落が防止され、雄コネクタ１２３の組み付けが完了する。
【００２９】
一方、雌コネクタ１２５は、絶縁キャップ１５５、ムービングプレート１５７、スプリング１６１が設けられず、図１０に示すように、アウターハウジング１６５、金属シェル１６７、インナーハウジング１６９、雌端子１７１の構成が異なる他は、シールド電線６３、Ｏリング１５１、接触子１４９、外部ゴム栓８１、リヤホルダ８３が雄コネクタ１２３と同様のものとなっている。
従って、異なる構成部分のみを説明すれば、絶縁樹脂材からなる筒状のアウターハウジング１６５の内部には同じく筒状のインナーハウジング１６９が連結部１７３によって一体形成され、アウターハウジング１６５とインナーハウジング１６９の間には金属シェル１６７が挟入されている。また、インナーハウジング１６９には雌端子１７１を収容する端子収容室１７７が形成され、端子収容室１７７は雌端子１７１と係止する弾性係止片１７９を有する。
【００３０】
雌コネクタ１２５の嵌合面では、図１１に示すように、中央のインナーハウジング１６９を包囲してアウターハウジング１６５が同心円状に配置されるとともに、このアウターハウジング１６５の先端を包囲して、更に、外筒部１８１が同心円状に配置される。従って、図１０に示すように、インナーハウジング１６９と外筒部１８１との間には階段状の挿入間隙１８３が形成されることになる。また、インナーハウジング１６９の外周には内部パッキン１１３が嵌着され、アウターハウジング１６５の外周には外部パッキン１１５が嵌着されている。
【００３１】
この雌コネクタ１２５を組み付けるには、上述の雄コネクタ１２３と同様の手順によって、Ｏリング１５１、接触子１４９、外部ゴム栓８１の取り付けられたシールド電線６３を雌端子１７１に接続する。シールド電線６３の接続された雌端子１７１がインナーハウジング１６９の後方から端子収容室１７７に挿入されると、弾性係止片１７９が雌端子１７１に係止し、雌端子１７１は端子収容室１７７からの抜けが規制される。
【００３２】
これと同時に、Ｏリング１５１がインナーハウジング１６９の後部に嵌着されるとともに、接触子１４９が金属シェル１６７の後部内周に接触され、更に、外部ゴム栓８１がアウターハウジング１６５の後部に嵌着されることになる。外部ゴム栓８１が嵌着されたアウターハウジング１６５の後部には、更に、リヤホルダ８３が挿入され、外部ゴム栓８１の脱落が防止され、雌コネクタ１２５の組み付けが完了することになる。
【００３３】
以上のようにして構成された雄コネクタ１２３と雌コネクタ１２５とからなるコネクタ１２１の嵌合使用時における作用を説明する。
図７に示すように、雄コネクタ１２３と雌コネクタ１２５が嵌合されると、ムービングプレート１５７がスプリング１６１に抗して移動され、雄端子１３７の電気接触部１３７ａが雌端子１７１の電気接触部１７１ａへ挿入される。同時に、雄コネクタ１２３のインナーハウジング１２９の先端１２９ａと、アウターハウジング１２７の先端１２７ａが雌コネクタ１２５の挿入間隙１８３に挿入される。
【００３４】
雌コネクタ１２５の挿入間隙１８３に挿入された雄コネクタ１２３のインナーハウジング先端１２９ａは、内周が内部パッキン１１３と密接する。これにより、雄コネクタ１２３と雌コネクタ１２５のインナーハウジング１２９、１６９は、水密状態で嵌合されることとなる。また、雄コネクタ１２３のアウターハウジング先端１２７ａは、内周が外部パッキン１１５と密接する。これにより、雄コネクタ１２３と雌コネクタ１２５のアウターハウジング１２７、１６５同士は、水密状態で嵌合されることとなる。
【００３５】
また、それぞれのインナーハウジング１２９、１６９後部は、Ｏリング１５１によって絶縁芯線６７との間が水密状態に封止される。従って、コネクタ１２１は、内部がインナーハウジング１２９、１６９内側の空間と、アウターハウジング１２７、１６５内側の空間とに分けられて、二重に封止されることになる。これにより、アウターハウジング１２７、１６５とインナーハウジング１２９、１６９の間に配設された金属シェル１３３、１６７と、インナーハウジング１２９、１６９の内部に収容された雄雌端子１３７、１７１とは絶縁されることになり、例え、結露水がいずれか一方の空間で発生した場合においても、結露水が両方の空間に渡って流れ込み、金属シェル１３３、１６７と雄雌端子１３７、１７１とを漏電させることがなくなる。
【００３６】
【発明の効果】
以上詳細に説明したように、本発明に係る結露対策用防水コネクタによれば、内部パッキン、外部パッキンをコネクタ嵌合面に設けるとともに、内部ゴム栓、外部ゴム栓をシールド電線に装着したので、雄コネクタと雌コネクタが嵌合されると、雄コネクタと雌コネクタのインナーハウジング同士及びアウターハウジング同士がそれぞれ水密状態で嵌合され、内部がインナーハウジングと、アウターハウジングとに分けられて、二重に封止されることになる。この結果、アウターハウジングとインナーハウジングの間に配設された金属シェルと、インナーハウジングの内部に収容された雄雌端子とが絶縁され、結露水がいずれか一方の空間で発生した場合においても、結露水が両方の空間に渡って流れ込まず、結露水による漏電を確実に防止することができ、安全面での信頼性を著しく向上させることができる。
【図面の簡単な説明】
【図１】嵌合状態における本発明による結露対策用防水コネクタの断面図である。
【図２】雄コネクタの断面図である。
【図３】雄コネクタの正面図である。
【図４】シールド電線端末部の組付け構造を説明する斜視図である。
【図５】雌コネクタの断面図である。
【図６】雌コネクタの正面図である。
【図７】他の実施例の結露対策用防水コネクタの断面図である。
【図８】他の実施例の雄コネクタの断面図である。
【図９】他の実施例の雄コネクタの正面図である。
【図１０】他の実施例の雌コネクタの断面図である。
【図１１】他の実施例の雌コネクタの正面図である。
【図１２】従来の雄コネクタの断面図である。
【図１３】従来の雌コネクタの断面図である。
【図１４】従来のコネクタの嵌合状態を示す断面図である。
【符号の説明】
４１、１２１  結露対策用防水コネクタ
４３、１２３  雄コネクタ
４５、１２５  雌コネクタ
４７、９１、１２７、１６５  アウターハウジング
４９、９５、１２９、１６９  インナーハウジング
５３、９３、１３３、１６７  金属シェル
５７、１３７  雄端子（端子）
６３  シールド電線
６７  絶縁芯線
７１  外皮
７７  内部ゴム栓
８１  外部ゴム栓
９７、１７１  雌端子（端子）
１１３  内部パッキン
１１５  外部パッキン
１５１  ０リング
【図１】
0003669525.tif 000002
【図２】
0003669525.tif 000003
【図３】
0003669525.tif 000004
【図４】
0003669525.tif 000005
【図５】
0003669525.tif 000006
【図６】
0003669525.tif 000007
【図７】
0003669525.tif 000008
【図８】
0003669525.tif 000009
【図９】
0003669525.tif 000010
【図１０】
0003669525.tif 000011
【図１１】
0003669525.tif 000012
【図１２】
0003669525.tif 000013
【図１３】
0003669525.tif 000014
【図１４】
0003669525.tif 000015